(57)【要約】【課題】  毛髪の欠損を補う人工毛髪やかつらベース等を頭着した後に起こりがちな炎症や化膿、脱毛、悪臭発生などの二次障害を防止するとともに、天然毛髪状の風合いや美観を長期にわたって維持する使用感の良い頭着材を提供する。【解決手段】  微粉化された天然放射性鉱物と酸化チタンと花崗岩類とを主要成分として含む鉱物微粉末を成形材料中に混合し、これを毛髪状フィラメントやかつらベース等の所定形状に成形する。【特許請求の範囲】
【請求項１】
微粉化された天然放射性鉱物と酸化チタンと花崗岩類とを主要成分として含む鉱物微粉末を成形材料中に混合し所定形状に成形して成ることを特徴とする人工毛髪等頭着材。
【発明の詳細な説明】
【発明の詳細な説明】
【技術分野】
【０００１】  この発明は毛髪の欠損を補うなどの目的で頭皮に植毛する人工毛髪やかつら、又はかつらベースなど、頭皮に直接設ける頭着材に関する。
【背景技術】
【０００２】  従来より欠損した毛髪を補い、或いは薄くなった箇所を目立たなくするために様々な工夫がなされてきた。これを大別すれば、人工毛髪をかつらや植毛などの手段により頭に付与する手段と、育毛剤や養毛剤などを塗布して自毛の生成を促す手段とがある。【０００３】  その前者については既に様々な人工毛髪やかつら等が工夫されており、例えばマイナスイオンを生成する素材でこれを成形し、頭皮の血行促進により育毛効果果をはかる機能性人工毛髪等も本発明者らによって既に提案されている（例えば技術文献１参照）。【０００４】
【技術文献１】
特開２００３−６４５１８
【発明が解決しようとする課題】
【０００５】  これら従来の素材を使って植毛やかつらの装着を施す場合、頭皮に接する箇所において時間とともにむれやかぶれ、炎症、化膿、悪臭等を生じやすく、血行障害等から脱毛に至るなどの問題点が今日においても残されている。
【０００６】  例えば、植毛においては毛根部に炎症を起こしやすく、かつら装着時も接着剤や粘着テープを使う場合はその箇所を、編み込み式の場合はかつらベースと頭皮との隙間を洗うこともできず雑菌が繁殖しやすいことなどから、炎症やひいては脱毛など、様々なトラブルを引き起こしている。
【０００７】  本発明はかかる現状から、このような有害ないし不快作用を伴うことなく、長期にわたって毛髪としての美感と快適さを発揮できるような、新規の人工毛髪等頭着材を提供することを課題とする。
【課題を解決するための手段】
【０００８】  （望ましくは粒径２μｍ以下に）微粉化された天然放射性鉱物と酸化チタンと花崗岩類とを主要成分として含む鉱物微粉末を成形材料中に練り込み混合し、これを毛髪用フィラメントやかつらベース等の所定形状に成形する。
【０００９】  本発明の対象となる天然放射性鉱物は、当然ながら人体に無害かつ有益ホロミシス効果を有する程度のものが選定される。一般に天然放射性鉱物は放射能半減期がきわめて長いから、その種類の如何を問わず、予め放射線量を所定基準値以下の低めに選定しておけば、長期にわたりそのレベルをほぼ不変に維持する。
【００１０】  一般に天然放射性元素といえば、ウラン系列、トリウム系列、アクチニウム系列の３系列のものと、所定同位元素を含むカリウムやある種のランタノイドなど十種余りの元素を指す。実際にはこれらを適当量含む鉱石が粉末化原料として使用される。例えばアクチノイド元素の一つであるトリウムは、実際にはモナザイトやセル石などのトリウム鉱石中に、同じくウランはカルノー石などのウラン鉱石中に含まれているから、これらの放射線種及び放射線量をよく検査した上で、安全基凖に合致するように適宜調合する。
【００１１】  上記天然放射性鉱物の他に本発明では酸化チタンと花崗岩類を加えることを要するが、これらはいずれも微粉化されることによりポリエステル等の成形材料の内部に練り込まれ混合される。できるだけ粒径は２μｍ以下と細かく、混合量は多いことが好ましいが、フィラメントのような形状や成形条件等により制約があることは勿論である。実際には数％程度の混合量で十分に所望する結果が得られている。
【００１２】  酸化チタンはいわゆる光触媒機能を有し、或いは白色顔料のチタンホワイトとしてよく知られたものである。また花崗岩はよく知られているように石英や長石等シリカ系鉱物を多量に含み、とりわけ好ましい鉱物としての石英閃緑岩は、他に斜長石、角閃石、少量の輝母や雲母等を含むものである。本発明でいう花崗岩類とは、これらの鉱物又はそれに類する鉱物を指す。
【００１３】  上記３種の鉱物の他に、別の鉱物粉末を更に何種か混合してもよい。例えばジルコニウム（ジルコン）等のように遠赤外線輻射特性の良い鉱物粉末を更に加えたり、或いは無機ゲルマニウムなどの機能物質を加えることは任意である。いずれの場合も上記３種と同様、粒径を２μ以下にすることが望ましい。
【００１４】  なお、人工毛髪用の成形材料として好ましいのはポリエステル樹脂であるが、他にＰＢＴ樹脂やナイロン等もあり、これに前記の各種鉱物微粉末や着色材等を練り込み、毛髪状フィラメント成形用ノズルより押し出し成形する。
【作用】
【００１５】  本発明のように人工毛髪において成形用樹脂中に前記３種の鉱物微粉末が含まれていると、そのうち天然放射性鉱物はマイルドかつ安定的にα線、β線、γ線の放射線を放出し、β線は空気中に達してマイナスイオンを生成し、これが頭皮の血行を促し、吸気を通して血液の状態などを改善する。これは様々なモニターテスト、及び生きた血液を拡大してテレビモニターに映し出す実施テストによっても、赤血球がきれいな形で独立しさらさらに流れるなど、顕著かつ速やかな改善化が確認されている。
【００１６】  一方、同じく混合されている酸化チタンは、光触媒により滅菌作用があることが知られているが、人工毛髪やかつらベース原料中に練り込んだ場合のようにあまり光が到達しなくても、実際には大きな抗菌性があり、植毛やかつら装着において現在困っているむれや悪臭、化膿などの難点を著しく回避できることが判明した。これはおそらく天然放射性鉱物から発するα線やγ線が光（紫外線）と同様、酸化チタンの滅菌作用のための触媒的作用をしていると推察される。
【００１７】  更に、同じく混合されている花崗岩類は、頭着材としての好ましい状態、例えば髪のキューティクルの状態や色艶などの良好な状態を現出させるとともに、長期にわたりその状態を安定的に維持するのに大いに役立つことが判明した。その詳しいメカニズムの解明は今後の課題であるものの、実際に効果を発揮し続ける実用的な製品にするためにきわめて重要な働きをしていることが判った。
【発明の実施の形態１】
【００１８】  約３７デシベルの放射線レベルに調合された平均粒径約１μのトリウム鉱石粉末２重量％と、同粒径の酸化チタン１重量％と、同粒径の石英閃緑岩１重量％、及び同粒径のジルコン粉末と、顔料等の適宜混和材を適当量、ＰＢＴ樹脂中に練り込んで製糸用ノズルより押し出し、約６０デニールのモノフィラメントに成形し、人工毛髪とする。出来上がった製品は天然毛髪の風合いや形態を長期にわたり維持し、かつ頭着（植毛）後の経過が甚だ快適で化膿や炎症等を起こさないものとなった。また天然毛髪のキューティクル状風合いを出すための薬品処理が従来より著しく軽減された。
【発明の実施の形態２】
【００１９】  上記の素材を用いてかつらベースを制作し、頭着したところ、従来より困っていたむれや悪臭などの不快症状が、編み込み、接着のいずれの装着方式においても著しく改善された。
【発明の効果】
【００２０】  このように本発明によれば、毛髪の欠損を補う人工毛髪やかつら等を頭着した後に起こりがちな炎症、化膿、悪臭発生などの様々な二次障害を著しく解消するとともに使用感を向上させ、血行促進など頭皮環境を改善して脱毛を防止し、育毛や健康等にも好ましい状況を現出させるなどの効果がある。